(57)【要約】【課題】小型で、撮影エリアを観察者が視認できて観察者が意図した構図で撮影を行うことができる撮影機能付き双眼鏡を提供すること。【解決手段】対物レンズ系と正立プリズム系、接眼レンズ系からなる観察光学系と、観察光学系より分割した光束を撮像素子に縮小結像させる縮小撮影光学系より構成される双眼鏡において、正立プリズム系の少なくとも１面を半透過にして光束分割を行い、前記双眼鏡の左右鏡筒の間に配置した前記縮小撮影光学系に導光することを特徴とする撮影機能付き双眼鏡。【選択図】　　　図１
2004037701.tif 000002
【特許請求の範囲】
【請求項１】
対物レンズ系、正立プリズム系、接眼レンズ系を含む１対の観察光学系と、該１対の観察光学系のうち少なくとも一方の観察光学系の光路中より分割した光束を撮像素子に結像させる撮影光学系とを有する双眼鏡であって、該正立プリズム系の少なくとも１面に光束分割手段が施されていて、該１対の観察光学系の間に該撮影光学系が配置されていることを特徴とする撮影機能付き双眼鏡。
【請求項２】
前記１対の観察光学系のうち、一方の観察光学系の前記正立プリズム系の光束分割手段が施された面の法線方向は、他方の観察光学系の方向に向いていることを特徴とする請求項１記載の撮影機能付き双眼鏡。
【請求項３】
前記撮影光学系は、前記対物レンズ系と接眼レンズの間の光路を分岐した光束の延長上に配置されていることを特徴とする請求項２記載の撮影機能付き双眼鏡。
【請求項４】
前記撮影光学系の光軸は、前記対物レンズ系の光軸と直交していることを特徴とする請求項３記載の撮影機能付き双眼鏡。
【請求項５】
前記撮影光学系と該観察光学系は、それぞれ独立にフォーカス系を有することを特徴とする請求項１〜４のいずれか１項に記載の撮影機能付き双眼鏡。
【請求項６】
前記正立プリズム系は、ダハプリズム系であることを特徴とする請求項１〜５のいずれか１項に記載の撮影機能付き双眼鏡。
【請求項７】
前記正立プリズム系は、ポロプリズム系であることを特徴とする請求項１〜５のいずれか１項に記載の撮影機能付き双眼鏡。
【請求項８】
前記撮影光学系は、補正プリズムを含むことを特徴とする請求項６又は７記載の撮影機能付き双眼鏡。
【請求項９】
対物レンズ系、正立プリズム系、接眼レンズ系を含む１対の観察光学系と、該１対の観察光学系のうちの少なくとも一方の観察光学系の光路中より分割した光束を撮像素子に結像させる撮影光学系とを有する双眼鏡であって、前記観察光学系は視野内に前記撮像素子によって撮影される撮影エリアを示す視認手段を有していることを特徴とする撮影機能付き双眼鏡。
【請求項１０】
前記視認手段は、前記接眼レンズ系のレンズの表面に設けられたガイド枠であることを特徴とする請求項９記載の撮影機能付き双眼鏡。
【請求項１１】
前記視認手段は、非撮影時には該観察光学系の視野を遮らず、撮影時には該観察光学系の光束の一部を遮光する可動ガイドであることを特徴とする請求項９記載の撮影機能付き双眼鏡。
【請求項１２】
前記可動ガイド部材は、薄膜上に形成された複数枚の羽根部材で形成されることを特徴とする請求項１１記載の撮影機能付き双眼鏡。
【請求項１３】
前記複数枚の羽根部材は、前記対物レンズ系の焦点位置に配置されることを特徴とする請求項１２記載の撮影機能付き双眼鏡。
【請求項１４】
前記可動ガイド部材は、液晶で構成されることを特徴とする請求項１１記載の撮影機能付き双眼鏡。
【請求項１５】
前記液晶は、前記双眼鏡の情報表示機能を備えていることを特徴とする請求項１４記載の撮影機能付き双眼鏡。
【発明の詳細な説明】
【０００１】
【発明の属する技術分野】
本発明は撮影機能付き双眼鏡に関するもので、特に小型で、操作性に優れた撮影機能付き双眼鏡を提供するものである。
【０００２】
【従来の技術】
従来の撮影機能付き双眼鏡は特開平７−４９４５６号公報に記載されているように対物レンズを通過した被写体の光束を撮影光学系に導くため、ポロプリズム、ダハプリズム等の正立光学系の後方に存在する接眼レンズ近傍にハーフミラーが独立に配置されている。また特開平３−２３５４９１に記載されている双眼鏡ではポロプリズムの一面をハーフミラーにして透過光を撮影光学系に導いている。つまり撮影光学系は対物レンズからの入射光の光軸の延長線上に配置されている。
【０００３】
また通常双眼鏡の観察の視野枠は円形状であるが、撮像素子の撮影エリアは方形状である。一般に双眼鏡では観察時の視野枠が撮影エリアの外接円のようになって大きなエリアを持っているため、観察した像を撮影した場合、取ろうとした像が実際には撮影エリアからはみ出す不具合が生じることがある。視野枠と撮影エリア形状のミスマッチにもかかわらず、撮影エリアを観察者が視認する手段については従来技術には何ら記載されていない。
【０００４】
【発明が解決しようとする課題】
上記の従来技術では、撮影機能の導入でハーフミラーが接眼レンズ近傍に独立に配置されているので、接眼レンズ周りが大型化してしまうという問題がある。また撮影光学系がダハプリズム後方の対物レンズからの入射光の延長線上に配置されているので、撮影機能のために副次的にダハプリズム後方も大型化し、双眼鏡自体を大きくしてしまっている。
【０００５】
さらに双眼鏡の視野内に撮影エリアを観察者が認識できる手段が考慮されていないので、撮影者である観察者が意図した構図で撮影を行うことができない。従って撮影した像が実際には観察者の意図に反して画面から欠落してしまうという問題がある。
【０００６】
本出願に係わる第一の発明の目的は撮影機能を備えた双眼鏡の小型化にあり、撮影機能を追加しても大型化しない双眼鏡を提供することにある。
【０００７】
本出願に係わる第二の発明の目的は撮影機能を備えた双眼鏡の撮影エリアの視認により、観察者が意図したとおりの像を撮影できる操作性の向上にある。
【０００８】
【課題を解決するための手段】
上記目的を達成するため、本発明の請求項１の撮影機能付き双眼鏡は、対物レンズ系、正立プリズム系、接眼レンズ系を含む１対の観察光学系と、該１対の観察光学系のうち少なくとも一方の観察光学系の光路中より分割した光束を撮像素子に結像させる撮影光学系とを有する双眼鏡であって、該正立プリズム系の少なくとも１面に光束分割手段が施されていて、該１対の観察光学系の間に該撮影光学系が配置されていることを特徴としている。
【０００９】
請求項２の発明の撮影機能付き双眼鏡では請求項１記載の発明で、前記正立プリズム系の光束分割手段が施された少なくとも１面の法線方向は、他方の観察光学系の方向に向いていることを特徴としている。
【００１０】
請求項３の発明の撮影機能付き双眼鏡では請求項２記載の発明で、前記撮影光学系は、前記対物レンズ系と接眼レンズの間の光路を前記光束分割手段により分岐した光束の延長上に配置されていることを特徴している。
【００１１】
請求項４の発明の撮影機能付き双眼鏡では請求項３記載の発明で、前記撮影光学系の光軸は、前記対物レンズ系の光軸と直交していることを特徴としている。
【００１２】
請求項５の発明の撮影機能付き双眼鏡では請求項１〜４のいずれか１項に記載の発明で、前記撮影光学系と該観察光学系は、それぞれ独立にフォーカス系を有することを特徴している。
【００１３】
請求項６の発明の撮影機能付き双眼鏡では請求項１〜５のいずれか１項に記載の発明で、前記正立プリズム系は、ダハプリズム系であることを特徴としている。
【００１４】
請求項７の発明の撮影機能付き双眼鏡では請求項１〜５のいずれか１項に記載の発明で、前記正立プリズム系は、ポロプリズム系であることを特徴としている。
【００１５】
請求項８の発明の撮影機能付き双眼鏡では請求項６又は７記載の発明で、前記撮影光学系は、補正プリズムを含むことを特徴としている。
【００１６】
請求項９の発明の撮影機能付き双眼鏡では、対物レンズ系、正立プリズム系、接眼レンズ系を含む１対の観察光学系と、該１対の観察光学系のうちの少なくとも一方の観察光学系の光路中より分割した光束を撮像素子に結像させる撮影光学系とを有する双眼鏡であって、前記観察光学系は視野内に前記撮像素子によって撮影される撮影エリアを示す視認手段を有していることを特徴としている。
【００１７】
請求項１０の発明の撮影機能付き双眼鏡では請求項９記載の発明で、前記視認手段は、前記接眼レンズ系のレンズの表面に設けられたガイド枠であることを特徴としている。
【００１８】
請求項１１の発明の撮影機能付き双眼鏡では請求項９記載の発明で、前記視認手段は、非撮影時には該観察光学系の視野を遮らず、撮影時には該観察光学系の光束の一部を遮光する可動ガイドであることを特徴としている。
【００１９】
請求項１２の発明の撮影機能付き双眼鏡では請求項１１記載の発明で、前記可動ガイド部材は、薄膜上に形成された複数枚の羽根部材で形成されることを特徴としている。
【００２０】
請求項１３の発明の撮影機能付き双眼鏡では請求項１２記載の発明で、前記複数枚の羽根部材は、前記対物レンズ系の焦点位置に配置されることを特徴している。
【００２１】
請求項１４の発明の撮影機能付き双眼鏡では請求項１１記載の発明で、前記可動ガイド部材は、液晶で構成されることを特徴としている。
【００２２】
請求項１５の発明の撮影機能付き双眼鏡では請求項１４記載の発明で、前記液晶は、前記双眼鏡の情報表示機能を備えていることを特徴としている。
【００２３】
【発明の実施の形態】
図１は本発明の撮影機能を持つ双眼鏡の実施形態１を表わす要部概略図である。
【００２４】
図１に示した構成において、１は対物レンズ系、２は反射面２ａ、２ｃとダハ面２ｂを有するダハプリズム、３は反射面３ａと、法線方向が、対向する（撮影光学系への光路分割を行わない）観察光学系の方向に向いた半透過面３ｂを有する補助プリズム、４は接眼レンズ系である。ダハプリズム２と補助プリズム３が観察像を正立像にさせる正立プリズム系を構成する。本実施形態では対物レンズ系１から正立プリズム系２、３を経て接眼レンズ系４にいたる部材１〜４を観察光学系と総称する。
【００２５】
本実施形態の双眼鏡は、この観察光学系１〜４を左右眼用に１対有している。但し、後述する撮影手段は少なくとも１つあれば良いので、このときは左右眼用の観察光学系のうちの撮影光学系への光路分割を行わない方の補助プリズムの全面が全反射面であっても良い。また、半透過面３ｂは、５０％の透過率である必要はなく、撮影に必要な光量によって、透過率の設定を変えても良い。
【００２６】
図３は対象物からの光束が観察者の眼に届くまでの過程を示したフローチャート図である。対象物からの光束（Ｓ１０１）は対物レンズ系（固定）１に達し（Ｓ１０２）、補助プリズム３の反射面３ａ、３ｂで反射し（Ｓ１０３、Ｓ１０４）、ダハプリズム２の反射面２ａ、２ｂ，２ｃで反射して（Ｓ１０５、Ｓ１０６）、接眼レンズ４に達し（Ｓ１０７）、観察者に到達する（Ｓ１０８）。
【００２７】
一方、本実施形態の双眼鏡は撮影機能を有している。撮影光束は、法線方向が、対向する観察光学系の方向に向いている半透過面３ｂより分岐される。半透過面３ｂを透過した光束は補正プリズム５で収差補正された後、コンデンサレンズ６で集光される。コンデンサーレンズ６を通過した光束は結像レンズ群８、９で、ＣＣＤ等の撮像素子１０に結像される。７は絞り装置で、適正露光が得られるように絞り開口径をモータ１１で調節する。
【００２８】
モータ１２は結像レンズ群８、９の一部もしくは全部を光束入射方向に前後に駆動してピント合わせを行う役目をする。
双眼鏡の１対の対物レンズ系１の光軸１ａの間に配置された部材５〜１０が本実施形態における撮影光学系である。本実施形態では部材１〜３と区別して部材５〜１０を撮影光学系と呼ぶことにする。
【００２９】
図４は対物レンズ１からの光束が撮像素子に届くまでの過程を示したフローチャート図である。対象物からの光束（Ｓ１１１）は対物レンズ系（固定）１に達し（Ｓ１１２）、補助プリズム３の反射面３ａで反射し（Ｓ１１３）、半透過面３ｂを透過して補正プリズム５を通過し（Ｓ１１４）、コンデンサレンズ６、結像レンズ８、９を通過し（Ｓ１１５、Ｓ１１６）、撮像素子１０にいたる（Ｓ１１７）。
【００３０】
図１に戻って１３は視度調節ダイアル、１４は接眼レンズ群を保持する接眼レンズ鏡筒である。腕部１４ａは軸１５に係合し、止め金１６により軸１５に軸支されている。また周知技術として軸１５に施されたネジ部がマニュアルフォーカスダイアル１７と係合し、マニュアルフォーカスダイアル１７の回転によって左右接眼レンズ鏡筒が観察光学系の光軸方向に移動して視野内のピントを合わせる機構になっている。１８は対物レンズ群、プリズム、撮影光学系等を保持している主鏡筒である。
【００３１】
次に図１の双眼鏡のシステム構成について説明する。図中、２１は結像レンズ９や絞り装置７のメカ系駆動回路である。２２は撮像素子１０の動作に必要なタイミング信号を発生させるタイミング信号発生回路、２３はタイミング信号発生回路からの信号を撮像信号駆動可能なレベルに増幅する撮像素子駆動回路、２４は撮像素子１０の出力ノイズ除去のためのＣＤＳ（２重相関サンプリング）回路やＡＧＣ回路を備えた前置処理回路、２５はＡ／Ｄ変換器、２６はＡ／Ｄ変換されたデジタル信号を一旦記憶するメモリとその信号を処理する回路を有する撮像信号処理回路、２７はシステム制御ＣＰＵ、２８は操作補助のための表示やカメラ部の状態を表わす操作表示部、２９はカメラの撮影開始を撮影者が制御するためのレリーズスイッチ（操作部）である。レリーズスイッチ２９は第１ストロークＳＷＩと第２ストロークＳＷ２の２段階操作が可能となっている。３０はカメラ部と記録媒体３１とを接続するための記録媒体インターフェースである。
【００３２】
本実施形態の双眼鏡におけるＡＦ（オートフォーカス）と測光には現行のビデオカメラ等に採用されている撮像素子１０を用いたＴＴＬ方式が用いられる。
【００３３】
撮影システムの動作フローは以下のとおりである。撮影者が操作部２９の操作開始指令ＳＷＩを押すと撮像素子１０が動作を開始し、出力される像データがシステム制御ＣＰＵ２７に入力される。システム制御ＣＰＵ２７は、撮像素子１０から出力された像データにより絞り装置７の駆動量と結像レンズ９の移動量を導出し、メカ系駆動回路２１を介してモータ１１、１２を駆動し、撮影光学系５〜１０を適正状態にする。システム制御ＣＰＵ２７は同時に電子シャッタタイミングも導出しておき、撮影のための露出条件を確定する。
【００３４】
次いで第２ストロークＳＷ２が押されると、上記確定された露出条件により撮影が行われる。撮影後、撮像素子１０の出力は読み出されて、前置処理回路２４でＣＤＳやゲインコントロール等の信号処理を受ける。続いて撮像素子１０の出力はデジタル信号に変換され、撮像信号処理回路２６によって特定フォーマットヘの変換処理がされた後、記録媒体Ｉ／Ｆ３Ｏを介して記録媒体３１に記録される。
【００３５】
本実施形態の双眼鏡は、法線方向が、対向する観察光学系の方向に向いている正立プリズム系の１面を半透過にして対物レンズ系からの光束を撮影光学系に分岐し、かつ撮影光学系を双眼鏡の中央部に配置することが構成上の特徴である。双眼鏡の構造上発生する空きスペースに撮影光学系を配置させたため、空間を有効に利用することができ、出っ張りのないスマートな形状の撮影機能付き双眼鏡を実現することができる。本実施形態では対物レンズ系の光軸と撮影光学系の光軸が直交しているので、撮影光学系よりも対物レンズ側と接眼レンズ側の空きスペースに、電気回路基板やバッテリ収納部等を配置するなど、スペースを効率的に使用できて、小型の撮影機能付き双眼鏡が提供できる。
【００３６】
また本実施形態では対物レンズ系１は固定で、観察光学系のフォーカス動作は接眼レンズを光軸方向に動かして行う。撮影光学系のフォーカス動作は、観察光学系と独立に別系統の撮影光学系の結像レンズを駆動して行われる。従って、撮影光学系のフォーカス動作が観察光学系に影響を与えないため、撮影時に観察側のピントがボケたりすることなく自然な観察を行うことができる。
【００３７】
図２は本発明の実施形態２の要部概略図である。実施形態２は、正立プリズム系としてポロプリズム４２、４３を採用した撮影機能付き双眼鏡である。ポロプリズムを用いた系でも実施形態１と同様に、法線方向が、対向する（撮影光学系への光路分割を行わない）観察光学系の方向に向いているプリズム４２の１面（４２ｂ）を半透過面にして、対物レンズ４１からの光束を撮影光学系４５〜４９に分岐している。本実施形態でも撮影光学系を双眼鏡の中央部に配置できるので、双眼鏡の構造上発生する空きスペースを有効に利用でき、出っ張りのないスマートな撮影機能付き双眼鏡を実現できる。本実施形態でも対物レンズ系１の光軸と撮影光学系の光軸が直交しており、空間が効率的に使用されている。
【００３８】
図１のダハプリズムを用いた双眼鏡と同様に、本実施形態でも対物レンズ１は固定で、観察光学系のフォーカス動作は接眼レンズ４４を光軸方向に動かして行う。撮影光学系のフォーカス動作は観察光学系４１〜４４と独立に、別光路の撮影光学系の結像レンズを駆動して行うため、撮影動作中に観察光学系側でピンぼけを起こして視野が見にくくなることはない。
【００３９】
双眼鏡に撮影機能を付加した場合、観察視野と撮影エリアの適合問題が生じる。双眼鏡の視野はほとんどの場合円形状をしているが、撮像素子５０の有効領域は方形で双眼鏡の視野より小さい部分をカバーするように構成されるのが通常である。従って、双眼鏡の視野に見える画面全体を撮影しようとすると、撮影画像では周辺がけられて撮影されていないという問題が発生する。
【００４０】
本実施形態では上記問題解決ため、双眼鏡の観察視野内に撮影エリアを示すガイド枠６１ａ〜６１ｄ、６２ａ〜６２ｄを設けることをもう一つの特徴としている。観察視野内に撮影エリアを示す方形のガイド枠を設ければ、被写体を意図した構図で撮影でき、画面のケラレ問題を解決することができる。
【００４１】
図５、図６はガイド枠設定の実施形態１を示す図である。図５は対物レンズ群１の焦点位置（図中Ａの位置）に位置する接眼レンズ６１の表面に、ガイド枠６１ａ〜６１ｄを施したことが特徴である。ガイド枠６１ａ〜６１ｄは対物レンズ１の焦点位置にあるため、被写体の像と同時に観察が可能である。
【００４２】
ガイド枠６１ａ〜６１ｄは図６（ｂ）に示すように観察時、視野内に６２ａ〜６２ｄとして観察される。ガイド枠に従えば被写体６３を意図した構図で撮影することができるため、撮影機能付き双眼鏡の撮影の操作性が向上し、被写体が撮影画面からはみ出るといった失敗がなくなる。
【００４３】
撮影エリアを示して操作性を向上させるため、図５では接眼レンズ６１の表面にガイド枠を設けた。しかしながら図５の実施形態では非撮影時にも常時ガイド枠が視野に見え、鑑賞の妨げになる可能性がある。従って、双眼鏡としては非撮影時にガイド枠が待避され、撮影時にのみ視野にガイド枠がセットされることが望ましい。図７、図８、図９は撮影時にのみガイド枠が表示されることを特徴とする双眼鏡のガイド枠付近の構成を示した図である。
【００４４】
図８において、８１ａ〜８１ｄはガイド羽根で、樹脂等の薄い材質で形成されている。各ガイド羽根にはガイド羽根の回転中心となる穴部８１ａ−１〜８１ｄ−１と、ガイド羽根の回転運動の作用点となる長穴部８１ａ−２〜８１ｄ−２が設けられている。８２は回転枠部材で樹脂、金属等で形成され、該回転枠部材の円周上にはガイド羽根の長穴部８１ａ−２〜８１ｄ−２に嵌合する軸部８２ａ〜８２ｄが施されている。さらに、回転枠部材８２の１部分には、先端付近に長穴部８２ｅ−１が施された張り出し部８２ｅが設けられている。
【００４５】
８３ａ〜８３ｄはガイド部で回転枠部材８２の観察光学系の光軸を中心とした回転をガイドする部材、８４は双眼鏡の視野枠である。８５はモータで回転軸８５ａにアーム部材８６が取り付けられている。アーム部材８６は前述の長穴部８２ｅ−１に嵌合し、アーム部材８６の回転を規制するストッパ８７ａ、８フｂがモータ８５に施されている。なお、ガイド部８３ａ〜８３ｄと、ガイド羽根の穴部８１ａ−１〜８１ｄ−１と嵌合する回転軸部（不図示）は接眼レンズ鏡筒等の固定部材に設けられている。
【００４６】
以上の構成でモータ８５に通電し図中でＣＣＷ方向に回転させると、回転枠部材８２がＣＷ方向に回転し、ガイド羽根８１ａ〜８１ｄが双眼鏡の視野の一部を遮光していく。そして、アーム部８６がストッパ８７ａに当たるとモータの回転が止まり、図８のようにガイド羽根８１ａ〜８１ｄが撮影エリアを示す枠を形成する。
【００４７】
一方モータ８５に通電し、図中でＣＷ方向に回転させると、回転枠部材８２がＣＣＷ方向に回転し、ガイド羽根８１ａ〜８１ｄが双眼鏡の視野から完全に待避する。モータ８５はアーム部材８６がストッパ８７ｂに当たると、回転が規制される仕組になっている。なおガイド羽根のセット・待避命令は、前述のシステム制御ＣＰＵ２７が司り、メカ系駆動回路により駆動される。またガイド枠の位置は視野絞りの位置に一致するため、対物レンズの焦点位置は図９のＢに示すガイド羽根の位置となる。
【００４８】
図１０は観察前の双眼鏡の各種調節から、撮影終了までの動作のフローチャートを示す図である。まず、双眼鏡の接眼部を覗いて眼幅調節が行われ（Ｓ２０２）、眼幅が適正になった時点で視度調節が行われる（Ｓ２０４）。視度が合ったならば、次に視野内のピント調節を行い（Ｓ２０６）、ピントをあわせた後、観察が行われる（Ｓ２Ｏ８）。
【００４９】
観察している画面を撮影する場合は撮影モードボタン、もしくはダイアルで撮影モードに設定する。設定に伴い、撮影エリアを示すガイド枠が双眼鏡の観察視野内にセットされる（Ｓ２１１）。次いで操作部のレリーズスイッチを半押ししてＳＷＩをＯＮにする（Ｓ２１２）と測光が行われ（Ｓ２１３）、撮影光学系の結像レンズの駆動による焦点調節　（Ｓ２１４）　と、光量に応じた絞り調節がなされる（Ｓ２１５）。さらにレリーズスイッチを押してＳＷ２をＯＮにすると撮影が行われ（Ｓ２１６）、記録媒体に記録が行われる（Ｓ２１７）。撮影を続行する場合はＳ２１２からのステップを再度繰り返す。
【００５０】
撮影を終了する時は、撮影モードボタンを解除するか、撮影ダイアルを観察モードにセット（Ｓ２１９）すると、撮影エリアを示すガイド枠が視野より退避し、通常の観察が行えるようになる。
【００５１】
以上の構成によれば、観察時はガイド枠が待避し、撮影時のみ視野にガイド枠がセットされるので観察時にガイド゛枠が鑑賞の妨げになることがない。
【００５２】
図９は液晶を用いてガイド枠を提示する実施形態を示したものである。ガイド枠がセットされると、同図に示した斜線部分が遮光され撮影エリアが提示される。撮影エリアの下方にはシャッタスピード・絞り値・手ぶれ警告等を示す双眼鏡の情報表示部９２が同時に液晶表示されている。ガイド枠の退避時は液晶が全透過の状態になり、枠の制約のない通常の観察を行うことができる。
【００５３】
また図９の構成で、観察時にガイド枠を待避する構成も取ることができる。該構成でも撮影時にのみ視野にガイド枠をセットできるので、観察のみの時にガイド枠が鑑賞の妨げになることがない。
【００５４】
【発明の効果】
以上説明したように、本発明の撮影機能付き双眼鏡では対物レンズ系と正立プリズム系、接眼レンズ系からなる観察光学系と、観察光学系より分割した光束を撮像素子に結像させる撮影光学系より構成される双眼鏡において、正立プリズム系の少なくとも１面に光束分割手段を施し、双眼鏡の左右鏡筒の間に配置した撮影光学系に導光することを特徴としている。撮影光学系を、双眼鏡の構造上発生する空きスペースに配置することができるため、空間を有効に利用することができ、小型で出っ張りのないスマートな形状の双眼鏡を実現することができる。
【００５５】
本発明では撮影光学系と観察光学系に独立にフォーカス機能を設けたため、撮影による観察像への干渉が起こらず、安定した観察を行うことができる。
【００５６】
さらに、本発明では双眼鏡の視野内に撮影エリアを示すガイド枠を設けて視認手段を導入することにより、撮影エリアと観察エリアのミスマッチを防ぐことができる。ガイド枠により被写体の撮影構図を正確に把握して撮影できるため、双眼鏡の操作性は大幅に増大する。また、非撮影時にはガイド枠を観察視野から退避させることにより、観察時に撮影系の影響を受けない観察を行うことができる。
【図面の簡単な説明】
【図１】本発明の双眼鏡の実施形態１を示す図
【図２】本発明の双眼鏡の実施形態２を示す図
【図３】本発明の双眼鏡の観察光の進路を示す説明ブロック図
【図４】本発明の双眼鏡の撮影光の進路を示す説明ブロック図
【図５】本発明の実施形態１の双眼鏡に撮影エリアを示すガイド枠を配置した実施形態１を示す図
【図６】接眼レンズにガイド枠を設けた状態の説明図
【図７】本発明の実施形態１の双眼鏡に撮影エリアを示す可動ガイド枠を配置した実施形態２を示す図
【図８】ガイド枠実施形態２におけるガイド枠付近の詳細構成図
【図９】ガイド枠として液晶を用いた場合の観察状態を示す図
【図１０】観察前の双眼鏡の調節から撮影終了までの動作フローチヤート
【符号の説明】
１、４１　対物レンズ系
２　　ダハプリズム
３　　補助プリズム
４、４４　接眼レンズ
５、４５　補助プリズム
６、４６　コンデンサレンズ
７、４７　絞り装置
８、９、４８、４９　結像レンズ
１０、５０　撮像素子
１１、１２、５１、５２　モータ
１３　　視度調整ダイアル
１４　　接眼レンズ鏡筒
１７　　マニュアルフォーカスダイアル
１８　　主鏡筒
２１　　メカ系駆動回路
２２　　タイミング信号発生回路
２３　　撮像素子駆動回路
２４　　前置処理回路
２５　　Ａ／Ｄ変換器
２６　　撮像信号処理回路
２７　　システム制御ＣＰＵ
２８　　操作表示部
２９　　操作部
３０　　記録媒体インターフェース
３１　　記録媒体
４１　　対物レンズ
４２、４３　ポロプリズム
６１　　接眼レンズ
６１ａ〜６１ｄ、６２ａ〜６２ｄ　ガイド枠
８１ａ〜８１ｄ　ガイド羽根
８２　　回転枠部材
８３ａ〜８３ｄ　ガイド部
８４　　双眼鏡の視野枠
８５　　モータ
８６　　アーム部材
８７ａ、８７ｂ　ストッパ
９１　　観察視野中の液晶による遮光部
９２　　表示部
【図１】
2004037701.tif 000003
【図２】
2004037701.tif 000004
【図３】
2004037701.tif 000005
【図４】
2004037701.tif 000006
【図５】
2004037701.tif 000007
【図６】
2004037701.tif 000008
【図７】
2004037701.tif 000009
【図８】
2004037701.tif 000010
【図９】
2004037701.tif 000011
【図１０】
2004037701.tif 000012